(57)【要約】【課題】既存の陳列棚に対し陳列商品の背見出し背表紙が通路側に向く陳列と、陳列商品の広い面積の側面が通路側に向く陳列とが使い分けるようにすると共に、商品後傾状態が安定して行なうことができるようにする。【解決手段】既存の陳列棚Ａの座板１上に左右に所定の間隔を存して載置する仕切板Ｂと、この各仕切板を上記陳列棚に取付けるように設けた取付装置Ｃと、上記仕切板の対向側面の通路側前縁の後方上部に必要な際に上記側面から突出状に存在させて陳列商品の通路側反対面を支えるように設けた受部８とからなる構成を採用する。【選択図】図１
2007151835.tif 000002
【特許請求の範囲】
【請求項１】
既存の陳列棚の座板上に左右に所定の間隔を存して載置する仕切板と、この各仕切板を上記陳列棚に取付けるように設けた取付装置と、上記仕切板の対向側面の通路側前縁の後方上部に必要な際に上記側面から突出状に存在させて陳列商品の通路側反対面を支えるように設けた受部とからなる陳列装置。
【請求項２】
既存の陳列棚の座板上に通路側に向く前縁が上記座板の通路側前縁から突出するように載置した補助座板と、この補助座板上に左右に所定の間隔を存して載置する仕切板と、この各仕切板を上記陳列棚に取付けるように設けた取付装置と、上記仕切板の対向側面の通路側前縁の後方上部に必要な際に上記側面から突出状に存在させて陳列商品の通路側反対面を支えるように設けた受部とからなる陳列装置。
【発明の詳細な説明】
【技術分野】
【０００１】
この発明は、既存の陳列棚に商品のブックや販売或いはレンタルのビデオカセットテープやディスクを収納した陳列ケースを陳列する陳列装置に関する。
【背景技術】
【０００２】
ショップの陳列棚には、販売やレンタル用のビデオカセットテープやディスクを収納した陳列ケース或いは書籍などの商品が並べてある。
【０００３】
その際、通路側に商品の背見出しや背表紙を向けて並べてある（特許文献１）。
【０００４】
しかしながら、通路側に背見出しや背表紙を向けて並べた商品の背見出しや背表紙に対し直角な対向する両側面間の厚み寸法が小さい場合、背見出し背表紙の幅寸法も当然小さくなって、印刷文字などの表示が小さくなる。
【０００５】
このため、読み取りにくいなどの問題で表示効果が著しく低下する。
【０００６】
そこで、表示効果が向上するように、通路側に商品の表面積の大きい側面（この側面は、背見出しや背表紙の面に対し直角な両側面の片方を）を位置させた陳列をすることで、表示効果が大幅にアップすることができる（特許文献１、２）。
【特許文献１】特開平８−１０１１３号公報
【特許文献２】特開平９−２３４１４３号公報
【発明の開示】
【発明が解決しようとする課題】
【０００７】
ところで、特許文献１の陳列方式によると、中間の仕切板の撤去にともなう両側の対向する仕切板間に陳列物であるディスクを収納した多数の陳列ケースを広い面積の側面同志を重ねて並べ、かつ最前列の陳列ケースの側面が通路に向くよう陳列し、この陳列方式によって表示効果の向上をはかる。
【０００８】
勿論、通路側に背見出しや背表紙を向けて仕切板間に複数の陳列物を陳列することもできる。
【０００９】
しかしながら、並べた陳列物の数量が多い場合、起立した姿勢の安定がよいが、販売やレンタルにともなう最前列の陳列物の取り出しにともなう数量が少なくなると、起立の安定性がなくなって後方（通路の反対側）に倒れ、良好な表示を損う問題があった。
【００１０】
また、特許文献２の陳列方式の場合でも、上述のような問題が発生する。
【００１１】
さらに、既存の陳列棚の座板の通路側に向く突出長さが、ビデオカセットテープの背見出しと背見出しの反対側との寸法に見合う短かい場合において、背見出しと背見出しの反対側との寸法がビデオカセットテープの寸法よりも大きいディスクの収納陳列ケースを上記既存の陳列棚に背見出しを通路側に向けて陳列した際、陳列棚の座板側前縁から陳列ケースの背見出し側から大きくはみ出すことになる。
【００１２】
この大きくはみ出した部分に歩行時の体や衣類がふれると、陳列棚から陳列ケースが落下する問題があった。
【００１３】
上記の問題を解決するために、座板の寸法の大きい、すなわち、陳列ケースに見合う寸法の座板を有する陳列棚を購入すると、大幅な出費になる不都合があった。
【００１４】
そこで、この発明は、上述の問題を解消した陳列装置を提供することにある。
【課題を解決するための手段】
【００１５】
上記の課題を解決するために、この発明は、既存の陳列棚の座板上に左右に所定の間隔を存して載置する仕切板と、この各仕切板を上記陳列棚に取付けるように設けた取付装置と、上記仕切板の対向側面の通路側前縁の後方上部に必要な際に上記側面から突出状に存在させて陳列商品の通路側反対面を支えるように設けた受部とからなる構成を採用する。
【００１６】
また、既存の陳列棚の座板上に通路側に向く前縁が上記座板の通路側前縁から突出するように載置した補助座板と、この補助座板上に左右に所定の間隔を存して載置する仕切板と、この各仕切板を上記陳列棚に取付けるように設けた取付装置と、上記仕切板の対向側面の通路側前縁の後方上部に必要な際に上記側面から突出状に存在させて陳列商品の通路側反対面を支えるように設けた受部とからなる構成を採用する。
【発明の効果】
【００１７】
以上のように、この発明の陳列装置によれば、既存の陳列棚の座板上で起立させながら取付装置を介し陳列棚に取付けた仕切板の対向側面に必要な際に突出状に存在させる受部を設けてあるので、突出させた受部により立てかけた姿勢の商品の通路の反対側面の上部を支えることができる。
【００１８】
このため、立てかけた姿勢の陳列商品の後方への傾倒がなく安定した陳列ができ、又通路側に商品の表面積の大きい側面（背見出しや背表紙の面に対し直角な面）を位置させることで、表示効果が大幅にアップする。
【００１９】
しかも、受部の存在をなくすることで、仕切板間に背見出しや背表紙が通路側に向く商品の陳列ができると共に、上述の通路に側面を向ける二通りの陳列が可能になる。
【００２０】
また、既存の陳列棚の座板上に前縁が座板の通路側前縁から突出する補助座板を載置したのち、補助座板上で起立させながら取付装置を介し陳列棚に仕切板を取付けるため、陳列商品の受架前後方向の面積が大きくなる。
【００２１】
このため、例えば、ビデオカセットテープの陳列用既存の陳列棚をディスクの収納陳列ケースの陳列に使用でき、ディスクの収納陳列ケースの通路側背見出しのはみ出しによる歩行者との接触にともなう落下をなくすることができると共に、補助座板により既存の陳列棚を使用することができる効果もある。
【発明を実施するための最良の形態】
【００２２】
以下、この発明の実施の形態を添付図面に基づいて説明する。
【００２３】
この発明の第１の実施形態では、図１から図４に示すように、既存の陳列棚Ａの座板１上に左右に所定の間隔を存して仕切板Ｂを載置すると共に、この載置した各仕切板Ｂを取付装置Ｃを介し陳列棚Ａに取付ける。
【００２４】
上記の陳列棚Ａは、図示の場合水平な座板１と、座板１の後縁から上方に連なる背板３とからなり、組み立てたフレーム（既存のため図示省略）に座板１の両端を嵌め込み係合などの架設手段（既存のため図示省略）を介し架設してあり、上記背板３の上方への突出高さも長いものや短かいものがある。
【００２５】
上記の取付装置Ｃは、図示の場合、合成樹脂による成型の際、仕切板Ｂの後縁上部の後面から（背板３の上縁上側を横切るように）突出する突出板４と、この突出部から上下方向に突出するクリップ部５とで形成され、クリップ部５の上端側を通路側にプッシュしてクリップ部５の下部を後方（通路の反対方向）に逃がし、この押し逃がしを維持しながらクリップ部５の下部を背板３の後面側に落し込んだのち、クリップ部５の上部のプッシュを解除することで、仕切板Ｂの後縁とクリップ部５の下部とで背板３の上縁を挟持して陳列棚Ａに対し仕切板Ｂを取付けるようにしたが、限定されず例えば周知方式のように、座板１のみ或いは座板１と背板３とに左右に所定の間隔を存して設けてある並列する長孔と、仕切板Ｂの下縁のみ或いは下縁と後縁から突出する係合片を嵌め込み係合する（図示省略）方式やビスなどの止具などで取付けてもよい。
【００２６】
なお、図示のように、仕切板Ｂの後縁から左右に突出する突出板６の後面や仕切板Ｂの下縁にゴムなどの弾力性のシート７を取付けておくと、スリップなどを防止して安定よく取付けることができる。
【００２７】
その際、シート７に磁性粉粒体を混入しておくと、座板１や背板３が金属製の場合、取付け或いは安定よく取付けることができる。
【００２８】
また、仕切板Ｂの対向面で、通路側前縁の後方上部には、必要な際に側方（対向する仕切板Ｂに向く）に突出状に存在させて陳列商品Ｘの通路側反対面を支える突部８が設けてある。
【００２９】
上記の突部８は、図２、３、４に示すように、仕切板Ｂに両側面が開放する貫窓９を設け、また一側の突部８の後縁下半部と他側の受部８の後縁上半部に軸線が垂直な筒部１０を設けると共に、この上下の筒部１０を直列状に並べて、筒状部１０に貫通させたピン１１の上下端を貫窓９の上下縁に支持させて、貫窓９に両側の突部８、８′を嵌め込み状に押し仕込むことで、仕切板Ｂの側面に突出状に存在させない（図７に示す）ことができ、突出状に存在させるときは、突部８の透孔１２に杆（図示省略）を挿入して貫窓９から突部８を脱出させながら、仕切板Ｂの側面に突部８を突出状に存在（図６に示す）させるようにしたが、限定されず、仕切板Ｂに対し着脱自在にして存在させたり、存在しないようにすることができる。
【００３０】
例えば、図８に示すように、仕切板Ｂの側面上縁から下方に蟻溝１３を設けて、この蟻溝１３に突部８の後縁の嵌め込み条１４を押し込んで取付けるようにすることもある。
【００３１】
図中１５は、突部８、８′の振動などによる脱出防止用の抵抗突起である。
【００３２】
なお、前述の突部８を設ける上部は、陳列商品Ｘであるビデオカセットテープやディスクを収納した陳列ケース或いは書籍の高さの中間より上部で、突部８により支えた商品Ｘが安定よく、すなわち後倒しない位置としてある。
【００３３】
上記のように構成すると、陳列棚Ａの座板１上に左右に所定の間隔を存して取付装置Ｃを介し座板１を取付ける。
【００３４】
次に、図１、４、５に示すように陳列商品Ｘの陳列を広い面積の側面を通路側に向ける陳列をする場合、仕切板Ｂの側面に突部８を突出させておいて、前後に並列状に並べる商品Ｘの最前列の商品Ｘの背面上部を支える。
【００３５】
この支えによって突部８の後方の商品Ｘの数が少ないときであっても、最前列の商品Ｘの良好な姿勢での陳列ができる。
【００３６】
なお、突部８の後方に並べた商品Ｘの数が少ない場合図５に示すように、最後列の商品Ｘと背板３との間にスペーサ１６を介在させて、商品Ｘの後倒を防止する。
【００３７】
また、図１、２に示すように商品Ｘの背見出しや背表紙を通路側に向ける陳列を行なう場合は、仕切板Ｂの側面に対する突部８の突出をなくする。
【００３８】
次に、左右の仕切板Ｂ、Ｂ間に並べた商品Ｘを納めておく。
【００３９】
勿論、陳列棚Ａに対して二種類の陳列もできる。
【００４０】
なお、最前列の商品Ｘを取り出したのち、後列の商品Ｘを突部８により支えて陳列（ショップ側）する。
【００４１】
さらに、図示のように、仕切板Ｂの側面前縁の手前の下部に上部突部８に対し例えば若干通路側に位置する突部８と同様の突部８′を設けておくと、側面を通路側に向けた上記陳列商品Ｘの下縁通路側面を受け止めて、商品Ｘの前方（通路側へのすべり出しを防止することができる。
【００４２】
この発明の第２の実施形態では、図９から図１１に示すように、陳列棚Ａの座板１の通路側と背板３と間の長さ寸法が小さい場合、すなわち、背見出しや背表紙と反対側との寸法が小さい、例えばビデオカセットテープ専用の既存の座板１にあっては、背見出しを通路側に向けたディスクの収納陳列ケースを並べたとき、座板１の前縁から陳列ケースの背見出し側が通路側に大きくはみ出し、このはみ出しによって歩行者が接触すると、通路に陳列ケースが落下し、或いは、側面が前方に向く陳列ケースを並べ陳列した際も陳列数が少なくなる。
【００４３】
そこで、座板１上に座板１の前縁と背板３との間の寸法よりも大きい寸法の補助座板３１を載置する。
【００４４】
次に、補助座板３１上に第１の実施形態と同様の仕切板Ｂを載置すると共に、取付装置Ｃを介し陳列棚Ａに仕切板Ｂを取付ける。
【００４５】
取付けは、第１の実施形態と同様につき説明を省略する。
【００４６】
すると、仕切板Ｂに突部８を存在させることで、第１の実施形態のように商品Ｘの側面を通路側に向く陳列を、又突部８を存在させないことで、第１の実施形態のように商品Ｘの背見出しや背表紙を通路側に向けた陳列ができ、既存の陳列棚を補助座板３１の使用により有効利用できる。
【００４７】
なお、図９、１０に示すように補助座板３１の上面前縁に溝条３２を設けて、この溝条３２に座板Ｂの下面突条３３を嵌め込み、又は突条３３に並列した抱き込み条３４で補助座板３１の前縁を抱き込んでおくと、補助座板３１の前方へのすべり出しを防止する。
【００４８】
また、図１１に示すように印刷などの表示紙４１の挿入ずみ透明な表示具４２の背板４３の下縁を溝条３２に嵌め込んで表示具４２を起立させることができる。
【００４９】
図中５１は座板１の前縁の嵌入溝である。
【図面の簡単な説明】
【００５０】
【図１】この発明の第１の実施形態を示す平面図
【図２】同上の縦断側面図
【図３】同上に使用する仕切板の斜視図
【図４】陳列状態を示す縦断側面図
【図５】同側面図
【図６】突部の突出を示す横断拡大平面図
【図７】突部の他の使用を示す拡大平面図
【図８】突部の他の存在を示す斜視図
【図９】第２の実施形態を示す縦断側面図
【図１０】同上の要部を示す縦断拡大側面図
【図１１】表示具の使用を示す分解斜視図
【符号の説明】
【００５１】
Ａ        陳列棚
Ｂ        仕切板
Ｃ        取付装置
Ｘ        商品
１        座板
３        背板
４        突出板
５        クリップ部
６        突出板
７        シート
８、８′  突部
９        貫窓
１０      筒部
１１      ピン
１２      透孔
１３      蟻溝
１４      嵌め込み条
３１      補助座板
３２      溝条
３３      突条
３４      抱き込み条
【図１】
2007151835.tif 000003
【図２】
2007151835.tif 000004
【図３】
2007151835.tif 000005
【図４】
2007151835.tif 000006
【図５】
2007151835.tif 000007
【図６】
2007151835.tif 000008
【図７】
2007151835.tif 000009
【図８】
2007151835.tif 000010
【図９】
2007151835.tif 000011
【図１０】
2007151835.tif 000012
【図１１】
2007151835.tif 000013